(57)【要約】  【課題】  本発明は、ブック原稿のように、所定の厚みを有する原稿の画像を読み取る場合において、原稿サイズ指示板の剥離を抑制するとともに、アルコールにより清掃を行う場合においても、原稿サイズ指示用部材の損傷や、変色を防止することができる画像読取装置、画像形成装置を提供することを目的とする。  【解決手段】  画像読取装置３において、原稿サイズ指示用部材３５が、コンタクトガラス２１の上面の一部を覆うとともに、コンタクトガラス２１と透明な原稿スケール３２の間に設けられている。又、原稿サイズ指示用部材３５は、コンタクトガラス２１、及び原稿スケール３２に貼付られておらず、原稿スケール３２の裏面に形成された凹部４０と、コンタクトガラス２１の間に載置されている。所定の厚みを有するブック原稿３８の画像を読み取る場合においても、当該ブック原稿３８のエッジ部３９が原稿サイズ支持用部材３５に接触することがない。【選択図】      図５
2005049737.tif 000002
【特許請求の範囲】
【請求項１】
原稿が載置されるコンタクトガラスと、前記コンタクトガラスの端縁に沿って配置され、前記原稿の設置位置の基準となる原稿スケールと、前記原稿のサイズの指標が表示された原稿サイズ指示用部材とを備える画像読取装置において、
前記原稿サイズ指示用部材が、前記コンタクトガラスの上面の一部を覆うとともに、前記コンタクトガラスと前記原稿スケールの間に設けられていることを特徴とする画像読取装置。
【請求項２】
前記原稿スケールが透明な樹脂により形成されていることを特徴とする請求項１に記載の画像読取装置。
【請求項３】
前記原稿サイズ指示用部材は、前記原稿スケールの裏面に形成された凹部と、前記コンタクトガラスの間に載置されていることを特徴とする請求項１または請求項２に記載の画像読取装置。
【請求項４】
前記コンタクトガラスと当接する前記原稿サイズ支持用部材の裏面が白色であり、前記原稿サイズ支持用部材が、シェーディング補正を行うときの基準画像となるシェーディング補正板を兼用することを特徴とする請求項１乃至請求項３のいずれかに記載の画像読取装置。
【請求項５】
請求項１乃至請求項４のいずれかに記載の画像読取装置と、画像データを出力する画像出力装置とを備えることを特徴とする画像形成装置。
【発明の詳細な説明】
【技術分野】
【０００１】
本発明は、原稿の画像を読み取る画像読取装置、及び、画像読取装置を搭載する複写機やファクシミリ等の画像形成装置に関する。
【背景技術】
【０００２】
一般に、画像読取装置にて原稿の画像を読み取る方式として、画像読取装置に自動原稿搬送装置を取り付け、流し読み用コンタクトガラス上に原稿を一定速度で移動させながら原稿の画像を読取る「流し読み」を行う方式と、画像読取装置本体の上面に設けられた透明なコンタクトガラス上に原稿を載置し、読取り光学系の光源とミラーを画像読取装置内の所定の位置に移動、固定させ、原稿の画像を読取る方式がある。
【０００３】
ここで、コンタクトガラス上に原稿を載置し、原稿の画像を読み取る方式においては、原稿の設置位置の基準となる原稿スケールがコンタクトガラスの端縁に沿って配置されており、当該原稿スケールの表面に形成された凹部の底面には、原稿サイズ指示用部材が貼付されている。そして、原稿をコンタクトガラス上に載せ、原稿サイズ指示用部材の目盛りを参照して、原稿を原稿スケールに当接させて位置決めを行い、原稿の画像を読取る構成が提案されている（例えば、特許文献１参照）。
【特許文献１】特開２００３−１４０２７８号公報（第３頁−第４頁、第３図）
【発明の開示】
【発明が解決しようとする課題】
【０００４】
しかしながら、図６に示す様に、上記従来の構成を有する画像読取装置６０においては、原稿サイズ指示用部材５０が、コンタクトガラス５１の端縁に沿って配置された原稿スケール５２の表面に形成された凹部５３の底面に貼付されているため、ブック原稿５４のように、所定の厚みを有する原稿の画像を読み取る場合においては、当該ブック原稿５４のエッジ部５５が原稿サイズ指示用部材５０に接触してしまい、その結果、当該原稿サイズ指示用部材５０の端部が剥がれる恐れがある。又、上述のごとく、原稿サイズ指示用部材５０は、原稿スケール５２に貼付されているため、当該原稿サイズ指示用部材５０を再利用することができない。更に、原稿サイズ指示用部材５０の汚れを取り除く場合は、一般に清掃用アルコール等の液体を用いるが、上記従来の構成においては、原稿サイズ指示用部材５０と原稿スケール５２の隙間（貼付面）に、当該清掃用アルコールがしみ込んでしまい、原稿サイズ指示用部材５０が損傷したり、変色したりする不都合があった。
【０００５】
又、一般に、このような画像読取装置においては、どのような条件においても常に同じ画像が複写できるように、複写直前に画像に対する白レベルと黒レベルの設定をするシェーディング補正を行ない、通常、デジタル複写機では白と黒のシェーディング補正板が用いられ、この補正板を数ライン読み取り、平均したものを白レベルと黒レベルの基準として、画像の濃度ばらつきを補正している。しかし、上記従来の構成においては、図６に示す様に、原稿サイズ指示用部材５０とは別個に、コンタクトガラス５１と原稿スケール５２の間にシェーディング補正板（白色基準板）５６を設ける必要があるため、部品点数が多くなってしまい、コストがアップしてしまうという不都合が生じていた。
【０００６】
本発明は、上記問題点を解決し、ブック原稿のように、所定の厚みを有する原稿の画像を読み取る場合において、原稿サイズ指示板の剥離を抑制するとともに、アルコールにより清掃を行う場合においても、原稿サイズ指示用部材の損傷や、変色を防止することができる画像読取装置、画像形成装置を提供することを目的とする。
【課題を解決するための手段】
【０００７】
上記目的を達成するために、請求項１に記載の画像読取装置は、原稿が載置されるコンタクトガラスと、コンタクトガラスの端縁に沿って配置され、原稿の設置位置の基準となる原稿スケールと、原稿のサイズの指標が表示された原稿サイズ指示用部材とを備え、原稿サイズ指示用部材が、コンタクトガラスの上面の一部を覆うとともに、コンタクトガラスと原稿スケールの間に設けられていることを特徴とする。
【０００８】
又、請求項２に記載の画像読取装置は、原稿スケールが透明な樹脂により形成されていることを特徴とする。
【０００９】
又、請求項３に記載の画像読取装置は、原稿サイズ指示用部材は、原稿スケールの裏面に形成された凹部と、コンタクトガラスの間に載置されていることを特徴とする。
【００１０】
又、請求項４に記載の画像読取装置は、コンタクトガラスと当接する原稿サイズ支持用部材の裏面が白色であり、原稿サイズ支持用部材が、シェーディング補正を行うときの基準画像となるシェーディング補正板を兼用することを特徴とする。
【００１１】
又、請求項５に記載の画像形成装置は、請求項１乃至請求項４のいずれかに記載の画像読取装置と、画像データを出力する画像出力装置とを備えることを特徴とする。
【発明の効果】
【００１２】
請求項１に記載の発明によれば、原稿サイズ指示用部材がコンタクトガラスと原稿スケールの間に設けられているため、所定の厚みを有する原稿の画像を読み取る場合においても、原稿サイズ指示用部材の端部が剥がれるのを有効に防止することができる。
【００１３】
又、原稿サイズ指示用部材がコンタクトガラスと原稿スケールの間に設けられているため、原稿サイズ指示用部材の汚れを取り除く場合において、清掃用アルコール等の液体を用いた場合であっても、原稿サイズ指示用部材と原稿スケールの隙間に、清掃用アルコールがしみ込むことがなくなり、原稿サイズ指示用部材の損傷や変色といった不都合を回避することができるようになる。
【００１４】
又、請求項２に記載の発明によれば、原稿スケールが透明な樹脂により形成されているため、原稿サイズ指示用部材をコンタクトガラスと原稿スケールの間に設ける構成とした場合であっても、原稿サイズ指示用部材を外部から認識することが可能になり、原稿をコンタクトガラス上に載置する際に、当該原稿の位置決めを適切に行うことが可能になる。
【００１５】
又、請求項３に記載の発明によれば、原稿サイズ指示用部材が、原稿スケールの裏面に形成された凹部と、コンタクトガラスの間に載置される構成となっているため、原稿サイズ指示用部材を再利用することが可能になる。
【００１６】
又、請求項４に記載の発明によれば、原稿サイズ支持用部材の裏面（即ち、コンタクトガラスと当接する面）を白色にしているため、原稿サイズ支持用部材をシェーディング補正を行うときの基準画像となるシェーディング補正板（白色基準板）として兼用することが可能になる。従って、原稿サイズ指示用部材とは別個にシェーディング補正板を設ける必要がなくなるため、部品点数を少なくすることができ、コストを削減することが可能になる。
【００１７】
又、請求項５に記載の発明によれば、請求項１乃至請求項４のいずれかに記載の画像読取装置を備える画像形成装置であるため、請求項１乃至請求項４のいずれかに記載の画像読取装置の構成による効果を得ることが可能になる。
【発明を実施するための最良の形態】
【００１８】
以下、図面を参照して、本発明の実施形態を詳細に説明する。図１は、本発明の実施形態に係る画像形成装置の全体構成を示す概略図である。
【００１９】
図１に示す様に、この画像形成装置１は、画像形成装置１の上部に配設され複写原稿を搬送する原稿搬送装置２と、この原稿搬送装置２の下部に配設され複写原稿の画像を読み取る画像読取装置３と、複写原稿の画像データを出力する画像出力装置４とを備えており、画像出力装置４の本体内に配設された画像形成部５は、一方向（図中のＲ方向）に回転する像端持体である感光体ドラム６と、所定の電圧が印加されることにより、感光体ドラム６の表面に一様な電荷を帯電させる帯電装置７と、感光体ドラム６の表面に近接して設けられており、光照射により感光体ドラム６の表面に静電潜像を形成し、感光体ドラム６に対して画像情報を露光する露光装置８と、静電潜像にトナーを付着させトナー像を形成する現像装置９と、現像装置９により形成されたトナー像を用紙に転写する転写装置１０と、トナー像を用紙に転写した後に感光体ドラム６の表面上に残留した転写残トナーを除去するためのクリーニング装置１１から構成されている。
【００２０】
又、画像出力装置４の内部には、用紙１２を収納した複数の給紙カセット１３、及び、これら給紙カセット１３の各端部上方に配設され感光体ドラム６に向けて用紙１２を供給する給紙ユニット１４から構成される給紙部１５と、転写ユニット１０から用紙１２を受け入れる定着部１６と、この定着部１６から用紙１２を受け入れ画像形成装置１の外部に用紙１２を排出する排出部１７とを備えている。
【００２１】
この様な構成のもとで、複写原稿は画像読取装置３によりその複写原稿の画像が読み取られ、これとともに感光体ドラム６の表面は帯電ユニット７により一様に帯電させられる。次いで、画像読取装置３によって読み取られた画像に基づく光が、露光装置８により感光体ドラム６の表面に照射されてその画像の静電潜像が形成され、その後、現像ユニット９によりその静電潜像にトナーを付着させトナー像が形成される。
【００２２】
更に、給紙カセット１３に収納された用紙１２は、給紙ユニット１４により用紙供給経路１８を経由して感光体ドラム６と転写ユニット１０との間に供給され、次いで、この転写ユニット１０により感光体ドラム６からトナー像が用紙１２上に引き寄せられて転写される。その後、トナー像が転写された用紙１２は感光体ドラム６から分離されて、用紙搬送経路１９を経由して定着部１６に搬送され、この定着部１６によりそのトナー像が転写紙上に定着される。
【００２３】
一方、転写ユニット１０によるトナー像転写後、感光体ドラム６の表面に残留するトナーは、クリーニングユニット１１により完全に除去される。そして、残留トナーが除去された感光体ドラム６は、複数のＬＥＤ等で構成された不図示の除電ユニットによりその表面の残留電荷が除去され、帯電ユニット７に至る。
【００２４】
図２は、本発明の実施形態に係る画像読取装置の概略図である。図２において、画像読取装置３は、画像読取装置本体２０と、画像読取装置本体２０の上面に設けられたコンタクトガラス２１とを備えており、画像読取装置本体２０は、コンタクトガラス２１上に載置された原稿２２に光を照射して原稿を照明する光源２３と、原稿２２により反射された照射光を９０度方向に反射する第１ミラー２４とから構成される第１光学系ユニット２５と、第１ミラー２４による反射光を９０度方向に反射する第２ミラー２６と、第２ミラー２６による反射光を更に９０度方向に反射する第３ミラー２７とから構成される第２光学系ユニット２８とを備えている。
【００２５】
又、画像読取装置本体２０の内部には、結像レンズ２９と、ＣＣＤセンサ３０が搭載されたＣＣＤユニット３１が設けられており、第３ミラー２７により反射された原稿２２からの反射光は、ＣＣＤセンサ３０に対面して設けられた結像レンズ２９により収束され、当該結像レンズ２９を介してＣＣＤセンサ３０に入射し、当該ＣＣＤセンサ３０上に結像される。そして、原稿２２上を走査した画像の光は、ＣＣＤセンサ３０により電気信号に変換され、原稿画像の濃淡が電気信号レベルの高低に変換される。本実施形態においては、第１光学系ユニット２５、第２光学系ユニット２８、結像レンズ２９、及びＣＣＤユニット３１により、光源２３により照射され、原稿２２により反射された照射光に基づいて、原稿画像を読取る画像読取装置３が構成されている。
【００２６】
又、上記構成においては、結像レンズ２９、及びＣＣＤセンサ３０は画像読取装置本体２０に固定されているが、光源２３がスキャン方向に移動しても原稿側光路長が変化しないようにするために、光源２３と第１ミラー２４とから構成される第１光学ユニット２５と、第２ミラー２６と第３ミラー２７とから構成される第２光学ユニット２８は、各々、一定速度で移動可能となるように設けられている。これらの第１、第２光学ユニット２５、２８の移動、及び停止は、図示しない駆動手段により行われる。
【００２７】
図３は、本発明の実施形態に係る画像読取装置の外観構成を示す斜視図であり、図４は、コンタクトガラス上に原稿を載置し、原稿の画像を読み取る場合の原稿基準位置を示した上面図であり、図５は、原稿サイズ指示用部材の配置を説明するための縦断面図である。
【００２８】
図３に示す様に、画像読取装置３には、原稿２２の設置位置の基準となる原稿スケール３２、３３がコンタクトガラス２１の端縁に沿って配置されている。この原稿スケール３２，３３は、コンタクトガラス２１に貼付されており、例えば、ポリカーボネート等の透明な樹脂により形成されている。原稿２２の画像を読み取る場合には、原稿搬送装置２の原稿押え部材３４を開き、コンタクトガラス２１上に原稿２２を載置する。この際、図４に示す様に、画像読取装置３には、原稿２２のサイズの指標が表示された原稿サイズ指示用部材３５、３６が、透明な原稿スケール３２、３３の各々の裏面側に設けられており、当該指標を参照しながら、原稿２２の２辺をスケール３２、３３に突き当てて当接させることにより、原稿２２の位置決めを行う。その後、図３の矢印の方向に原稿押さえ部材３４を閉じ、操作パネル３７のコピースタートボタンを押すことにより、コピーが開始され、原稿２２の画像の読み取りが開始される。尚、原稿サイズ指示用部材３５、３６は、例えば、ポリスチレンやＡＢＳ等の樹脂により形成されている。
【００２９】
ここで、本実施形態においては、図５に示す様に、画像読取装置３において、原稿サイズ指示用部材３５が、コンタクトガラス２１の上面の一部を覆うとともに、コンタクトガラス２１と透明な原稿スケール３２の間に設けられている点に特徴がある。即ち、この原稿サイズ指示用部材３５は、コンタクトガラス２１、及び原稿スケール３２に貼付られておらず、透明な原稿スケール３２の裏面に形成された凹部４０と、コンタクトガラス２１の間に載置される構成となっている。
【００３０】
従って、図６に示した原稿スケール５２の表面に形成された凹部５３の底面に、原稿サイズ指示用部材５０を貼付けた場合と異なり、本実施形態における原稿サイズ指示用部材３５は、コンタクトガラス２１と原稿スケール３２の間に設けられ、その表面が原稿スケール３２に覆われているため、図５に示す様に、ブック原稿３８のように、所定の厚みを有する原稿の画像を読み取る場合においても、当該ブック原稿３８のエッジ部３９が原稿サイズ支持用部材３５に接触することがない。従って、原稿サイズ指示用部材３５の端部が剥がれるのを有効に防止することができる。
【００３１】
又、原稿スケール３２が透明な樹脂により形成されているため、原稿サイズ指示用部材３５をコンタクトガラス２１と原稿スケール３２の間に設ける構成とした場合であっても、原稿サイズ指示用部材３５を外部から認識することが可能になり、ブック原稿３８をコンタクトガラス２１上に載置する際に、当該ブック原稿３８の位置決めを適切に行うことが可能になる。
【００３２】
又、上述のごとく、原稿サイズ指示用部材３５は、コンタクトガラス２１、及び原稿スケール３２に貼付られておらず、原稿スケール２３の裏面に形成された凹部４０と、コンタクトガラス２１の間に載置される構成となっているため、当該原稿サイズ指示用部材３５を再利用することが可能になる。
【００３３】
更に、原稿サイズ指示用部材３５の汚れを取り除く場合において、清掃用アルコール等の液体を用いた場合であっても、原稿サイズ指示用部材３５が、コンタクトガラス２１と原稿スケール３２の間に設けられ、その表面がポリカーボネート等のアルコール耐性の高い樹脂により形成された原稿スケール３２により覆われているため、従来のように、原稿サイズ指示用部材３５と原稿スケール３２の隙間に、当該清掃用アルコールがしみ込むことがなくなり、結果として、原稿サイズ指示用部材３５の損傷や変色といった不都合を回避することができるようになる。
【００３４】
又、原稿サイズ支持用部材３５の裏面４１（即ち、コンタクトガラス２１と当接する面）を白色にすることにより、当該原稿サイズ支持用部材３５をシェーディング補正を行うときの基準画像となるシェーディング補正板（白色基準板）として兼用することが可能になるため、原稿サイズ指示用部材３５とは別個にシェーディング補正板を設ける必要がなくなる。従って、部品点数を少なくすることができ、コストを削減することが可能になる。
【００３５】
尚、本発明は、上記実施形態に限定されるものではなく、本発明の趣旨に基づいて各部の構造、形状等を適宜変更することが可能であり、それらを本発明の範囲から除外するものではない。
【００３６】
例えば、上記実施形態においては、画像読取装置３において、原稿サイズ指示用部材３５が、コンタクトガラス２１の上面の一部を覆うとともに、コンタクトガラス２１と原稿スケール３２の間に設けられている構成としたが、図４に示す原稿サイズ支持用部材３６についても同様の構成とすることができる。即ち、画像読取装置３において、原稿サイズ指示用部材３６を、コンタクトガラス２１の上面の一部を覆うとともに、コンタクトガラス２１と原稿スケール３３の間に設け、当該原稿サイズ指示用部材３６を、コンタクトガラス２１、及び原稿スケール３３に貼付ることなく、原稿スケール３３の裏面に形成された凹部（不図示）と、コンタクトガラス２１の間に載置する構成とすることができる。この様な構成にすることにより、原稿サイズ支持用部材３６についても、上述の原稿細サイズ指示用部材３５と同様の効果を得ることができる。
【産業上の利用可能性】
【００３７】
本発明の活用例としては、画像読取装置本体の上面に設けられた透明なコンタクトガラス上に原稿を載置し、読取り光学系の光源とミラーを画像読取装置内の所定の位置に移動、固定させ、原稿の画像を読取る画像読取装置や、この様な画像読取装置を備える画像形成装置が挙げられる。
【図面の簡単な説明】
【００３８】
【図１】は、本発明の実施形態に係る画像形成装置の全体構成を示す概略図である。
【図２】は、本発明の実施形態に係る画像読取装置の概略図である。
【図３】は、本発明の実施形態に係る画像読取装置の外観構成を示す斜視図である。
【図４】は、コンタクトガラス上に原稿を載置し、原稿の画像を読み取る場合の原稿基準位置を示した上面図である。
【図５】は、原稿サイズ指示用部材の配置を説明するための縦断面図である。
【図６】は、従来の原稿サイズ指示用部材の配置を説明するための縦断面図である。
【符号の説明】
【００３９】
１    画像形成装置
２    原稿搬送装置
３    画像読取装置
４    画像出力装置
２１    コンタクトガラス
２２    原稿
３２、３３    原稿スケール
３５、３６    原稿サイズ指示用部材
３８    ブック原稿
４０    凹部
４１    原稿サイズ指示用部材裏面
【図１】
2005049737.tif 000003
【図２】
2005049737.tif 000004
【図３】
2005049737.tif 000005
【図４】
2005049737.tif 000006
【図５】
2005049737.tif 000007
【図６】
2005049737.tif 000008